(57)【特許請求の範囲】
【請求項１】
シール材やバックアップ材を用いて窓のサッシ枠に窓ガラスが装着されている既存のビルに対し電磁遮蔽材からなる電磁遮蔽層を覆ってビル内空間を外部からの独立した電磁遮蔽空間として構成する電磁遮蔽ビルにリニューアルするための窓施工方法であって、
既存の前記窓ガラスの内側のシール材やバックアップ材を除去し、
しかる後既存の前記窓ガラスの内側に電磁遮蔽性能を有するフイルムを貼り合わせ、
既存の前記窓ガラスの内側に貼り合わせたフイルムとサッシ枠との溝部に導電性押縁またはガスケットを嵌め込むことにより、前記窓ガラス及びフイルムをサッシ枠の内側から押さえ固定して
電磁遮蔽ビルにリニューアルするための窓施工を行うことを特徴とする電磁遮蔽ビルリニューアルの窓施工方法。
【請求項２】
電磁遮蔽性能を有するフイルムとして、太陽光線反射フイルムを窓ガラスの内側から貼り合わせることを特徴とする請求項１記載の電磁遮蔽ビルリニューアルの窓施工方法。
【請求項３】
電磁遮蔽性能を有するフイルムとして、太陽光線反射フイルムと導電性フイルムからなる複合フイルムを窓ガラスの内側から貼り合わせることを特徴とする請求項１記載の電磁遮蔽ビルリニューアルの窓施工方法。
【発明の詳細な説明】
【０００１】
【発明の属する技術分野】
本発明は、電磁遮蔽材からなる電磁遮蔽層で覆ってビル内空間を外部からの独立した電磁遮蔽空間として構成する電磁遮蔽ビルのリニューアルの窓施工方法に関する。
【０００２】
【従来の技術】
今やオフィスビルでは、ＬＡＮその他の通信回線を使ってそれぞれが独自の通信情報処理システムを構築しているところが多い。このようなシステムが大規模化すると、通信回線の確保が課題になり、ケーブルの配線も複雑に錯綜して、部屋や装置の配置替えの際には、そのための配線変更の作業量が多くなるため、電波を使った無線通信方式の採用も１つの方法として注目されている。
【０００３】
ところが、電波を使った無線通信方式を採用する場合には、使用周波数帯域について電波法の規制が問題になる。そこで、このような電波法による規制を受けることなく、自由に使用周波数帯域を選択、設定して独自の無線による通信方式を採用するためには、ビル内の空間を外部から電磁的に遮蔽した電磁遮蔽ビルの構築が不可欠となる。既に出願人は、このような電磁遮蔽ビルに関し、例えば特公平６−９９９７２号公報や特公平６−９９９７３号公報、特公平７−１６１１８号公報、特公平６−７６７０６号公報に、ビルの躯体や外壁の遮蔽構造について提案し、特公平６−９９９７１号公報や特公平６−３３６９９号公報、特公平６−１３８２２号公報に、ビルの出入口の遮蔽構造について、特公平６−６３４０７号公報や特公平５−７９７９０号公報、特公平３−５８５５７号公報に、窓開口部の遮蔽構造について提案している。また、特公平３−６２３２０号公報や特公平３−４５９７２号公報、特公平３−６２３１８号公報、特公平５−３４１５９号公報に、天井や階層別の遮蔽構造について提案している。
【０００４】
これらの提案に見られるように、電磁遮蔽ビルは、躯体や壁構造体に電磁遮蔽材を用い、さらに窓や出入口等の開口部にも電磁遮蔽材を用いてビルの外壁に沿って全面を電磁遮蔽材で覆うようにすることにより、ビル内の空間を外部と独立した１つの電磁遮蔽空間として構成することができる。また、ビル内を１つの電磁遮蔽空間としてではなく、各フロア毎に上下の天井や床において電磁遮蔽材で仕切り、或いは各フロアにおいて部屋間の壁を電磁遮蔽材で仕切ることによって、各フロア毎、或いは各部屋毎に独立した複数の電磁遮蔽空間を構成することができる。
【０００５】
【発明が解決しようとする課題】
ところで、既設のビルを電磁遮蔽ビルとしてリニューアルしようとする場合には、当然、躯体が電磁遮蔽性能を有していないので、壁や床、天井に、金属メッシュや金属箔、導電性繊維を用いたシート、導電性塗料等の電磁遮蔽材をその内面や内装材との間に貼り合わせることによって実現できる。しかし、窓部は、電磁遮蔽層を有するガラスと取り替えることになると、施工が難しくなりコストも高くなるという問題がある。
【０００６】
例えば窓部に電磁遮蔽ガラスを用いる場合、通常考えられているのは、複層タイプであるため、既存建物のサッシ溝幅に入らない場合が多い。加えて上記のような電磁遮蔽ガラスは高価であるという問題もある。
【０００７】
【課題を解決するための手段】
本発明は、上記の課題を解決するものであって、窓開口部の電磁遮蔽を簡便に施工することができる電磁遮蔽ビルリニューアルの窓施工方法を提供するものである。
【０００８】
そのために本発明は、シール材やバックアップ材を用いて窓のサッシ枠に窓ガラスが装着されている既存のビルに対し電磁遮蔽材からなる電磁遮蔽層を覆ってビル内空間を外部からの独立した電磁遮蔽空間として構成する電磁遮蔽ビルにリニューアルするための窓施工方法であって、
既存の前記窓ガラスの内側のシール材やバックアップ材を除去し、
しかる後既存の前記窓ガラスの内側に電磁遮蔽性能を有するフイルムを貼り合わせ、
既存の前記窓ガラスの内側に貼り合わせたフイルムとサッシ枠との溝部に導電性押縁またはガスケットを嵌め込むことにより、前記窓ガラス及びフイルムをサッシ枠の内側から押さえ固定して
電磁遮蔽ビルにリニューアルするための窓施工を行うこと特徴とする。
【０００９】
【発明の実施の形態】
以下、本発明の実施の形態を図面を参照しつつ説明する。
図１は本発明に係るフイルム遮蔽窓構造の電磁遮蔽ビルの実施の形態を示す図であり、１は窓開口部、２は壁、３は天井、４は床を示す。
【００１０】
図１において、壁２は、例えば既設の電磁遮蔽性能を有しない躯体の内壁に金属メッシュや金属箔（フイルム）、不織布、その他導電性繊維を用いたシート等を貼ったり、導電性塗料を塗って電磁遮蔽構造にしたもの、或いはこのような電磁遮蔽構造のボードを用いたものである。天井３、床４も、壁２と同様の施工、電磁遮蔽材を貼り合わせたパネルを用いたものである。これに対して、窓開口部１は、窓ガラスの内側に電磁遮蔽性能を有するフイルムを貼り合わせて用い、サッシ溝部のフイルムとの間の施工には、導電性の押縁やガスケットを用いたものである。なお、外側の施工には、通常のシーリング材を用いている。電磁遮蔽性能を有するフイルムとしては、例えば太陽光線反射フイルム、さらにこれと導電性フイルムを組み合わせた複合フイルムを用いることができる。
【００１１】
図２は本発明に係るフイルム遮蔽窓構造の断面図であり、１１はガラス、１２はフイルム、１３は押縁、１４はシール材、１５はバックアップ材、１６はサッシ枠、１７はセッティングブロックを示す。
【００１２】
図２において、ガラス１１は、通常のガラスである。したがって、既存のビルでは、既存のガラスをそのまま用いることができる。フイルム１２は、例えば電磁遮蔽性能を有する太陽光線反射フイルムであり、ガラス１１の内面に貼り合わせる。押縁１３は、ガラス１１の内面に貼り合わせたフイルム１２とサッシ枠１６とを電気的に接続するように導電性材料を用いたものであり、導電性ガスケットであってもよい。シール材１４、バックアップ材１５、セッティングブロック１６は、それぞれサッシ枠１６にガラス１１を装着する場合に通常用いられるものであり、シール材１４、バックアップ材１５は、ガラス１１の外側に用いられる。
【００１３】
次に、リニューアルの場合の窓部の施工について説明する。リニューアルの場合には、既存のガラスをそのまま使用する。シール材やバックアップ材を内側だけ除去してからフイルム１２をガラス１１に貼り合わせる。そして、フイルム１２の上からサッシ枠１６との溝部に押縁１３を嵌め込んで、ガラス１１及びフイルム１２をサッシ枠１６の内側から押さえ固定する。フイルム１２は、最近耐久性が向上し、特に太陽光線を遮蔽するもので１０年以上にわたり所定の性能を維持するだけの期待が持てるようになっているが、性能が低下して交換する場合には、押縁１３を外してフイルム１２を剥がし、同様の施工を行えばよい。
【００１４】
図３は本発明に係るフイルム遮蔽窓構造の他の実施の形態を示す図であり、太陽光線反射フイルム１２に導電性フイルム２２を組み合わせて用いた複合フイルムの構造の例である。外側を太陽光線反射フイルム１２にして内側に導電性フイルム２２を組み合わせて用いると、紫外線などを遮断するためフイルム全体の耐久性が向上すると共に、電磁遮蔽性能を確保することができる。したがって、導電性フイルム２２だけを用いた場合に比較して著しく耐久性の向上が見られ、しかも、コストの低減を図ることもできる。
【００１５】
なお、本発明は、上記の実施の形態に限定されるものではなく、種々の変形が可能である。例えば上記の実施の形態では、既存の建物をリニューアルする場合に適用して説明したが、新築の建物であっても同様に適用できることはいうまでもない。また、フイルムは、上記太陽光線反射フイルム以外でも、電磁遮蔽性能を有する他のフイルムを用いてもよいし、薄いメッシュ状の導電性材料をフイルムとして用いてもよい。
【００１６】
【発明の効果】
以上の説明から明らかなように、本発明によれば、既存のガラスの内側でシール材等を除去し、フイルムを貼り合わせてサッシ枠の溝部に導電性の押縁やガスケットを施工することによって電磁遮蔽層を実現できるので、既存の建物のリニューアルに対応でき、しかも、電磁遮蔽ガラスと交換せずに低コストで簡便に電磁遮蔽窓を施工できる。また、太陽光線反射フイルムに導電性フイルムを組み合わせた複合フイルムの構造にすることにより、従来の電磁遮蔽ガラスより低コストで耐久性の高い所望の電磁遮蔽レベルの窓部を実現できる。
【図面の簡単な説明】
【図１】本発明に係るフイルム遮蔽窓構造の電磁遮蔽ビルの実施の形態を示す図である。
【図２】本発明に係るフイルム遮蔽窓構造の断面図である。
【図３】本発明に係るフイルム遮蔽窓構造の他の実施の形態を示す図である。
【符号の説明】
１…窓開口部、２…壁、３…天井、４…床
【図１】
0003629665.tif 000002
【図２】
0003629665.tif 000003
【図３】
0003629665.tif 000004